(57)【特許請求の範囲】
【請求項１】
現在位置を特定し、この特定した現在位置に関する現在位置情報を無線で送信する通信用の回路基板と、
該回路基板に電源を供給するバッテリと、
前記バッテリの一部を収納するバッテリケースと、
前記回路基板及び前記バッテリを収納したバッテリケースを収納する筐体と、
前記筐体に設けられ、前記バッテリケースに係合すると、前記回路基板が収納された前記筐体の第１空間、及び、前記バッテリケースに収納された前記バッテリが接する第２空間とを隔離する係合部と、
を備え、
前記筐体は、
前記バッテリを収納した前記バッテリケース及び前記回路基板を内部に収納するための開口を有し、該開口を閉じる蓋部を有することを特徴とする盗難追跡装置。
【請求項２】
請求項１に記載された盗難追跡装置において、
前記筐体に形成される係合部の少なくとも一部は、
前記開口から前記バッテリケースを前記筐体の内部に挿入するときに、前記バッテリケースを前記開口側から前記筐体の内部に向かって案内するレール形状に形成されていることを特徴とする盗難追跡装置。
【請求項３】
請求項１又は請求項２に記載された盗難追跡装置において、
前記バッテリケースは、前記回路基板から浮かせた状態で、前記回路基板に固定されていることを特徴とする盗難追跡装置。
【請求項４】
現在位置を特定し、この特定した現在位置に関する現在位置情報を無線で送信する通信用の回路基板と、
該回路基板に電源を供給するバッテリと、
前記バッテリの一部を収納するバッテリケースと、
前記回路基板及び前記バッテリを収納したバッテリケースを収納する筐体と、
前記筐体に設けられ、前記バッテリケースに係合すると、前記回路基板が収納された前記筐体の第１空間、及び、前記バッテリケースに収納された前記バッテリが接する第２空間とを隔離する係合部と、
を備え、
前記バッテリケースは、前記回路基板から浮かせた状態で、前記回路基板に固定されていることを特徴とする盗難追跡装置。
【請求項５】
請求項１〜請求項４のいずれか１項に記載の盗難追跡装置において、
前記バッテリケースと前記係合部との係合部分は、前記バッテリから漏れたバッテリ液の前記第２空間から前記第１空間への移動を防止するラビリンス構造を形成することを特徴とする盗難追跡装置。
【請求項６】
請求項１〜請求項５のいずれか１項に記載された盗難追跡装置において、
前記バッテリケースは、前記バッテリを収納する開口が設けられた開口面の周囲に位置する周囲側面から突設され、前記周囲側面の周方向に沿って連続するフランジ部を備え、
前記係合部には、前記フランジ部と係合する係合溝が形成されていることを特徴とする盗難追跡装置。
【発明の詳細な説明】
【技術分野】
【０００１】
本発明は、二輪車その他の物が盗難されたときに、その盗難物を追跡するために、その盗難物に設置される盗難追跡装置に関する。
【背景技術】
【０００２】
近年、自動二輪車、カーナビゲーション装置などには、これらが盗難された場合、これら盗難物を追跡する装置として、盗難中の盗難物から、その盗難物の現在位置情報を発信させることを目的とした盗難追跡装置が備えられることが多くなっている（特許文献１）。
【０００３】
この盗難追跡装置は、ＧＰＳ、ＶＩＣＳ（登録商標）その他の方法により現在位置を特定し、この特定した現在位置情報を無線で送信する制御を実行する制御用の回路基板と、この回路基板に動作用の電力を供給するバックアップバッテリ（以下「ＢＵＢ」）とを備えている。
【０００４】
そして例えば、二輪車用の盗難追跡装置１００では、図１０に示すように、底面が開口したバッテリケース１０１にＢＵＢ１０２が収納され、さらに、このバッテリケース１０１が回路基板１０３に固定された状態で筐体１１０内に収納されている。
【０００５】
尚、この図１０では、ＢＵＢ等を筐体１１０内に収納する開口を蓋部１１１で閉じる構造の盗難追跡装置１００を示し、このうち蓋部１１１については輪郭だけを示して、ＢＵＢ１０２等が筐体１１０内に収納された様子が分かり易くなるようにしている。下記の図１１も同様である。
【先行技術文献】
【特許文献】
【０００６】
【特許文献１】特開２０１１−５１３７６号公報
【発明の概要】
【発明が解決しようとする課題】
【０００７】
しかし、この盗難追跡装置１００は、回路基板１０３とＢＵＢ１０２とを同じ筐体１１０内に収納しているため、自動二輪車の走行中の振動などによって、ＢＵＢ１０２から漏れたバッテリ液が回路基板１０３に付着する可能性がある。
【０００８】
そして、バッテリ液が回路基板１０３に付着すると、その付着した部分が腐食して動作不良を引き起こし、盗難時に、盗難追跡装置１００から現在位置情報が発信されない可能性がある。
【０００９】
そのため、盗難追跡装置１００は、バッテリケース１０１からＢＵＢ１０２が露出する部分を下に向け、回路基板１０３をバッテリケース１０１の上方に位置するよう筐体１１０内に収納するなどの工夫がされている。
【００１０】
このようにすれば、ＢＵＢ１０２からバッテリ液が漏れても、筐体１１０の底面にバッテリ液が溜まり、振動してもバッテリ液が跳ね上がっても、回路基板１０３まで達することは極力防止される。
【００１１】
しかし、ＢＵＢ１０２から漏れたバッテリ液の回路基板１０３への付着をより確実に防止するため、図１１に示すように、ＢＵＢ１０２全体を覆うことが可能なバッテリケース
１０１を用いることも考えられる（但し、筐体１１０の開口側は、ＢＵＢ１０２をバッテリケース１０１に収納するため開口している）。
【００１２】
ところが、このようにすると、ＢＵＢ１０２の底面をも取り囲むこととなるので、ＢＵＢ１０２の底面を囲わないもの（図１０参照）に比べ、筐体１１０の上下方向の厚みが増して、盗難追跡装置１００全体が大型化してしまうという問題がある。
【００１３】
また、バッテリ液の回路基板１０３への付着をより確実に防止するため、図１２に示すように、携帯電話のように、ＢＵＢ１０２を筐体１１０の外側に取り付け、このＢＵＢ１０２を保護するためにＢＵＢ１０２をバッテリケース１０１で覆って、このバッテリケース１０１を筐体１１０に対して固定する構造とすることも考えられる。
【００１４】
しかし、このようにすると、ＢＵＢ１０２の場所が、外観から一目で分かってしまい、盗難時にＢＵＢ１０２が取り外されて、回路基板１０３が動作しなくなるという問題があった。
【００１５】
そこで、本発明では、バッテリケースから一部が露出したバッテリ及び回路基板を一緒に筐体内に収納しても、バッテリから漏れたバッテリ液の回路基板への付着を確実に防止することができる盗難追跡装置を提供することを目的とする。
【課題を解決するための手段】
【００１６】
本発明の盗難追跡装置は、現在位置を特定し、この特定した現在位置に関する現在位置情報を無線で送信する制御を実行する制御用の回路基板と、この回路基板に電源を供給するバッテリと、このバッテリの一部を収納するバッテリケースと、回路基板及びバッテリを収納したバッテリケースを収納する筐体とを備えている。
【００１７】
そして、この盗難追跡装置は、バッテリから漏れたバッテリ液の回路基板への付着を防止するため、バッテリケースと係合すると、回路基板が収納された筐体の第１空間、及び、バッテリケースに収納された前記バッテリが接する第２空間とを隔離する係合部が筐体に形成されている。
また、筐体は、バッテリを収納したバッテリケース及び回路基板を内部に収納するための開口を有し、この開口を閉じる蓋部を有する。
【００１８】
そのため、本発明の盗難追跡装置では、筐体内でバッテリからバッテリ液が漏れたとしても、そのバッテリ液は、筐体内のうちバッテリが接する第２空間内だけに留まることとなる。
【００１９】
従って、本発明の盗難追跡装置を用いれば、筐体内のうち、回路基板が収納された第１空間内にバッテリ液が漏れ出すことがないので、バッテリケースから一部が露出したバッテリ及び回路基板を一緒に筐体内に収納しても、バッテリから漏れたバッテリ液の回路基板への付着を確実に防止することができる。
【００２０】
また、このようなバッテリケースを用いることにより、筐体の大型化も防止できる。
尚、筐体に形成される係合部の少なくとも一部については、筐体の開口からバッテリケースを筐体の内部に挿入するときに、バッテリケースを開口側から筐体の内部に向かって案内するレール形状に形成してもよい。
このようにすると、蓋部を開けて、レール形状に形成された係合部に沿ってバッテリケースを挿入し、蓋部を閉めるだけで、第１空間と第２空間とを隔離した状態でバッテリ及び回路回版を筐体内に収納することができる。
また、この盗難追跡装置は、バッテリケースが、回路基板から浮かせた状態で、前記回路基板に固定されている。
このようにすると、回路基板上に回路素子を設置するスペースを広く確保することができる。
尚、盗難追跡装置は、現在位置を特定し、この特定した現在位置に関する現在位置情報を無線で送信する制御を実行する制御用の回路基板と、この回路基板に電源を供給するバッテリと、このバッテリの一部を収納するバッテリケースと、回路基板及びバッテリを収納したバッテリケースを収納する筐体とを備え、さらに、バッテリから漏れたバッテリ液の回路基板への付着を防止するため、バッテリケースと係合すると、回路基板が収納された筐体の第１空間、及び、バッテリケースに収納された前記バッテリが接する第２空間とを隔離する係合部が筐体に形成されている場合に、バッテリケースが、回路基板から浮かせた状態で、前記回路基板に固定されていてもよい。
盗難追跡装置は、バッテリケースと係合部との係合部分が、バッテリから漏れたバッテリ液の第２空間から第１空間への移動を防止可能なラビリンス構造を形成していてもよい。
【００２１】
このため、バッテリケースと係合部とを係合させて第１空間と第２空間とを機械的に隔離する構造を採用しても、バッテリケースと係合部との係合部分をたどって第２空間から第１空間にバッテリ液が漏れ出すことを確実に防ぐことができる。
【００２２】
ところで、互いに係合するバッテリケース及び係合部はどのような構造でもよいが、例えば、バッテリケースは、バッテリを収納する開口が設けられた開口面の周囲に位置する周囲側面から突設され、この周囲側面の周方向に沿って連続するフランジ部を備える構造とし、係合部は、このフランジ部と係合する係合溝が形成する構造としてもよい。
【図面の簡単な説明】
【００２６】
【図１】第１実施形態の盗難追跡装置に収納されるバッテリケースの説明図で、（ａ）は正面図、（ｂ）右側面図、（ｃ）は平面図、（ｄ）は下面図である。（ａ）（ｂ）（ｃ）では、ＢＵＢを収納する収納空間を点線により透過図で示している。
【図２】第１本実施形態の盗難追跡装置を構成する筐体の説明図で、（ａ）は正面図、（ｂ）は、（ａ）のＡ−Ａ’断面図である。（ｂ）では、溝部２２ａを点線により透過図で示している。
【図３】第１本実施形態の盗難追跡装置を構成する筐体の開口を閉じる蓋部の説明図で、（ａ）は背面図、（ｂ）は平面図である。挿入口３１を点線により透過図で示している。
【図４】第１実施形態の盗難追跡装置を構成する筐体内に、ＢＵＢ及び回路基板を収納した様子を説明するための説明図で、（ａ）は筐体の正面図、（ｂ）は蓋部の背面図である。（ａ）では、ＢＵＢを透過図で示している。また、（ｂ）では、挿入口３１に係合するフランジ部１２を点線で示している。
【図５】第２実施形態の盗難追跡装置の説明図で、（ａ）は筐体の正面図、（ｂ）は蓋部の背面図、（ｃ）はＢＵＢ及び回路基板を筐体内に収納した様子を示した、筐体の正面図である。（ｃ）では、ＢＵＢ５０のうちバッテリケース１０に収納された部分、及び、突設部２５ａがバッテリケース１０に隠れる部分を点線により透過図で示している。
【図６】第３実施形態の盗難追跡装置の説明図で、（ａ）は筐体の正面図、（ｂ）はバッテリケースの正面図、（ｃ）は蓋部の背面図、（ｄ）はＢＵＢ及び回路基板を筐体内に収納した様子を示した、筐体の正面図である。（ｄ）では、ＢＵＢ５０のうちバッテリケース１０に収納された部分、及び、係合孔２７ａ（（ａ）参照）がバッテリケース１０に隠れる部分を点線により透過図で示している。
【図７】第４実施形態の盗難追跡装置の説明図で、（ａ）は筐体の正面図、（ｂ）は（ａ）のＢ−Ｂ’断面図、（ｃ）はバッテリケースの正面図である。（ａ）では、立設部２８に形成される段差２８ａを点線により透過図で示し、（ｃ）では、ＢＵＢ５０のうちバッテリケース１０に収納された部分を点線により透過図で示している。
【図８】第４実施形態の盗難追跡装置の説明図で、ＢＵＢ及び回路基板を筐体内に収納した様子を示した、筐体の正面図である。この図８では、ＢＵＢ５０のうちバッテリケース１０に収納された部分、段差２８ａがバッテリケース１０に隠れる部分、立設部２８がバッテリケース１０に隠れる部分を点線で示している。
【図９】第４実施形態の盗難追跡装置を構成する蓋体の説明図で、（ａ）は蓋の正面図、（ｂ）は平面図、（ｃ）は側面図である。尚、（ｃ）では、バッテリケース１０を一点鎖線で示している。また、（ｂ）（ｃ）では、嵌合孔３２を点線で示している。
【図１０】従来の盗難追跡装置の説明図で、蓋部を輪郭のみで示した透過斜視図である。
【図１１】従来の盗難追跡装置を変形した例の説明図で、蓋部を輪郭のみで示した透過斜視図である。
【図１２】従来の盗難追跡装置を変形した例の分解斜視図である。
【発明を実施するための形態】
【００２７】
以下に本発明の実施形態を、三角図法で示した図面と共に説明する。
（第１実施形態）
第１実施形態の盗難追跡装置について説明する。
【００２８】
この第１実施形態（以下、第１実施形態についての説明においては「本実施形態」という）の盗難追跡装置１は（図４参照）、現在位置を特定し、この特定した現在位置に関する現在位置情報を無線で送信する通信用の回路基板４０と、この回路基板４０に電源を供給するバックアップバッテリ（以下「ＢＵＢ」という）５０と、このＢＵＢ５０の一部を露出した状態で収納するバッテリケース１０と、回路基板４０及びＢＵＢ５０を収納したバッテリケース１０を収納する筐体２０とを備えている。
【００２９】
これらについて以下順に説明する。
バッテリケース１０は、図１に示すように、底面（本発明の開口面に相当する）が開口した直方体状のケース部分１１を備えており、この底面の開口１１ａ（図１（ｄ））から、ケース部分１１の内側の収納空間１１ｂ（図１（ａ）（ｂ））内にＢＵＢ５０の一部を収納することができる。
【００３０】
このケース部分１１の底面の周囲に位置する周囲側面１１ｃの下端縁部からは、この周囲側面の周方向に沿って連続するフランジ部１２が設けられ、このフランジ部１２の下方側の面が、ケース部分１１の底面と面一になるように、周囲側面１１ｃから立設されている。
【００３１】
一方、ケース部分１１の上面１１ｄには、この上面１１ｄの四隅近傍から立設された円柱状に形成された４つのネジ脚１３が設けられている。このネジ脚１３には、中心軸に沿ってネジ穴が形成されており、このネジ脚１３を介してバッテリケース１０が回路基板４０に固定される。
【００３２】
また、バッテリケース１０の右側面には、ＢＵＢ５０から回路基板４０に電力を供給するための電力線を通すものであって、この電力線の先端に取り付けられたコネクタ５１（図４参照）を通すことができる大きさに形成され、収納空間１１ｂから外部に通じる通孔１４が形成されている。
【００３３】
次に、筐体２０は、ほぼ直方体形状に形成され、図２に示すように、正面側の側面が開口している。以下、この開口を符合２０ａを用いて開口２０ａと呼ぶ。
そして、この筐体２０の内側の底面２０ｂ上の正面寄りの端部には、前述したバッテリケース１０を固定する固定部２１が形成されている。
【００３４】
この固定部２１は、筐体２０の内部の底面２０ｂから嵩上げされ、固定部２１の開口２０ａの長手方向に沿った中央部は、左右の他の固定部２１よりも嵩上げされた嵩上部２２を形成するとともに、この嵩上部２２には、嵩上げがされていないコ字状（図２（ｂ）参
照）の嵌込部２３が形成されている。この嵌込部２３は、コの字の開口側が、開口２０ａの側を向く形状に形成されている。
【００３５】
この嵌込部２３は、ケース部分１１を嵌込可能な大きさ（図４参照）に形成されている。
また、嵩上部２２のうち、嵌込部２３に面する部分には、嵌込部２３にケース部分１１を嵌め込んだときに、フランジ部１２が係合する断面略コ字状の溝部２２ａが形成されている。
【００３６】
次に、筐体２０の開口２０ａを閉じる蓋部３０について説明する。
この蓋部３０は、図３に示すように、平板状に形成されており、筐体２０の開口２０ａを閉じることができる大きさに形成されている。
【００３７】
また、蓋部３０の背面には、バッテリケース１０のフランジ部１２を挿入可能な挿入口３１が形成されている。
本実施形態では、フランジ部１２を溝部２２ａに係合させ、ケース部分１１を嵌込部２３に嵌め込むと（図４参照）、筐体２０の開口２０ａから、筐体２０の正面側に位置するフランジ部１２が突出した状態となる。
【００３８】
この蓋部３０の挿入口３１は、蓋部３０を使って筐体２０の開口２０ａを閉じるとき、この開口２０ａから突出したフランジ部１２が係合するものである。
次に、回路基板４０について説明する。
【００３９】
回路基板４０は、図４に示すように、平板状に形成された電子回路用の回路基板で、図示しない、ＣＰＵやＲＯＭ、ＲＡＭ、その他の電子機器が実装されている。
また、この回路基板４０は、これら電子機器の他に、ＧＰＳ用の受信装置、及び、ＧＰＳで受信した現在位置に関する現在位置情報を無線で送信する送信装置等が実装されている。
【００４０】
さらに、この回路基板４０は、ＢＵＢ５０から電力の供給を受けるため、ＢＵＢ５０から延設された電力供給線の先端に取り付けられたコネクタ５１を取り付ける接続具４１も備えている。
【００４１】
尚、ＢＵＢ５０は、詳細については説明するが、収納空間１１ｂに対して一部を嵌め込むことができるよう略直方体に形成されている。
［ＢＵＢ及び回路基板の収納方法］
次に、ＢＵＢ５０及び回路基板４０を、筐体２０内に収納する方法について説明する。
【００４２】
まず、図４に示すように、バッテリケース１０を各ネジ脚１３を介して回路基板４０に対して立脚させ、回路基板４０の裏面側から表側に向かって４本のネジを通し、各ネジを各ネジ脚１３に螺入させて、バッテリケース１０を回路基板４０に対して固定する。
【００４３】
次に、ＢＵＢ５０の電力供給線の先端に取り付けられたコネクタ５１及び電力供給線を、収納空間１１ｂ内から通孔１４に通し、そのコネクタ５１及び電力供給線をバッテリケース１０の外側に引き出しつつ、ＢＵＢ５０を収納空間１１ｂに挿入する。
【００４４】
すると、ＢＵＢ５０は、バッテリケース１０の底面の開口２０ａから一部飛び出した状態でバッテリケース１０に収納される。
そして、コネクタ５１を接続具４１に接続し、通孔１４については、シール材その他の方法によりシールする。
【００４５】
次に、回路基板４０に固定された状態のバッテリケース１０を、フランジ部１２が溝部２２ａ（図２（ａ）参照）に係合するように位置を合わせて押し込み、筐体２０内に収納する。
【００４６】
このとき、フランジ部１２を溝部２２ａに係合させた状態で移動させ、図４（ａ）でみて背面側のフランジ部１２が背面側の溝部２２ａに係合するまで押し込まれる。このとき、溝部２２ａがレールの役割をして、ＢＵＢ５０を収納したバッテリケース１０及び回路基板４０を筐体２０内に収納されるよう案内する。
【００４７】
そして、蓋部３０を用いて筐体２０の開口２０ａを閉じる。
このとき、図４（ａ）でみて、正面側のフランジ部１２が挿入口３１に係合するようにして、筐体２０の開口２０ａが蓋部３０により閉じられる。
【００４８】
そして、図示しない方法で、蓋部３０を筐体２０に対して固定する。
尚、蓋部３０を筐体２０に固定する方法としては、鍵ツメを備える構成として固定してもよいし、特定の工具を用いないと操作できない特殊ネジで固定してもよいが、これらに限定されるものではない。
［第１実施形態の盗難追跡装置の特有の効果］
以上のようにして、ＢＵＢ５０及び回路基板４０を、筐体２０内に収納すると、図４（ａ）に示すように、フランジ部１２が、溝部２２ａ及び挿入口３１とが係合するが、この係合部分は、少なくとも３箇所の曲がり角（符合αで示した部分）を有するラビリンス構造を形成し、このことにより、回路基板４０が収納される第１空間７０と、ＢＵＢ５０が接する第２空間８０とが隔離される。
【００４９】
そのため、仮にＢＵＢ５０からバッテリ液が漏れ出しても、このバッテリ液が第２空間８０から第１空間７０に漏れ出すことはない。
従って、本実施形態の盗難追跡装置１を用いれば、バッテリケース１０から一部が露出したバッテリＢＵＢ５０及び回路基板４０を一緒に筐体２０内に収納しても、ＢＵＢ５０から漏れたバッテリ液の回路基板４０への付着を確実に防止することができる。
【００５０】
しかも、本実施形態では、フランジ部１２を溝部２２ａ及び挿入口３１に係合させるだけで、第１空間７０と第２空間８０とを隔離できるので、比較的簡単な構造で、これら空間７０，８０の間を隔離することができる。
【００５１】
また、本実施形態では、ＢＵＢ５０及び回路基板４０を筐体２０に収納するとき、嵩上部２２に形成した溝部２２ａがレールのような役割をするので、蓋部３０を開けて、溝部２２ａにフランジ部１２を係合させて、ＢＵＢ５０及び回路基板４０を押し込み、蓋部３０を閉じるだけで、ＢＵＢ５０と回路基板４０とを筐体２０内に収納することができる。［第２実施形態］
次に、第１実施形態の変形例である第２実施形態について説明する。
【００５２】
第１実施形態と同じ構成については、同じ符号を用いて説明する。
第２実施形態の盗難追跡装置１は、筐体２０と蓋部３０の形状が第１実施形態の盗難追跡装置１とは異なる。
【００５３】
具体的には、図５（ａ）に示すように、筐体２０が固定部２１を備えておらず、ＢＵＢ５０を収納する部分が他の部分よりも下方に向かって突出した形状に形成されている。
筐体２０の下方に突出した部分には、バッテリケース１０のフランジ部１２より下の部分を収納可能な深さの収納孔２５が形成されており、この収納孔の縁部には、フランジ部
１２が引っかかって、ＢＵＢ５０が収納孔２５から抜け出すことを防止する突設部２５ａが形成されている。
【００５４】
また、蓋部３０も、図５（ｂ）に示すように、筐体２０に合わせて、凸の字を逆さにした形状に形成されており、収納孔２５にバッテリケース１０のフランジ部１２よりも下の部分を収納したとき、筐体２０の収納孔２５から突設したフランジ部１２と係合する挿入口３１が形成されている。
【００５５】
この第２実施形態の盗難追跡装置１においても、図５（ｃ）に示すように、フランジ部１２が突設部２５ａ及び挿入口３１と係合する部分が、少なくとも２つ以上の曲がり角（符合αで示した部分）を有するラビリンス構造を形成しているので、収納孔２５内に形成された、ＢＵＢ５０と接する第２空間８０と、回路基板４０が収納される第１空間７０とは隔離される。
【００５６】
そのため、仮にＢＵＢ５０からバッテリ液が漏れ出しても、このバッテリ液が第１空間７０に漏れ出すことはない。
従って、第２実施形態の盗難追跡装置１を用いれば、バッテリケース１０から一部が露出したＢＵＢ５０及び回路基板４０を一緒に筐体２０内に収納しても、ＢＵＢ５０から漏れたバッテリ液の回路基板４０への付着を確実に防止することができる。
【００５７】
しかも、第２実施形態では、フランジ部１２を突設部２５ａに引っ掛けて押し込むだけで、ＢＵＢ５０及び回路基板４０を筐体２０内に収納させ、そして、前方側のフランジ部１２を挿入口３１に係合させるだけで、第１空間７０と第２空間８０とを隔離できるので、比較的簡単な構造で、これら第１空間７０及び第２空間８０の間を隔離することができる。
［第３実施形態］
次に、第３実施形態について説明する。
【００５８】
第１実施形態と同じ構成については、同じ符号を用いて説明する。
第３実施形態の盗難追跡装置１は、筐体２０の形状が第１実施形態の盗難追跡装置１とは異なる。
【００５９】
具体的には、筐体２０は、図６（ａ）に示すように、固定部２１を備えておらず、筐体２０の開口側である前方側から筐体２０の背面側である後方に向かって、断面Ｔの字のレール形状に形成されたレール部２６が形成され、そのレールの後端には壁部２７が形成され、この壁部２７には、バッテリケース１０のフランジ部１２が係合する係合孔２７ａが形成されている。
【００６０】
また第３実施形態の盗難追跡装置１は、図６（ｂ）に示すように、バッテリケース１０の形状も異なっており、フランジ部１２が、第１実施形態のものより肉厚に構成されている。
【００６１】
この肉厚に構成されている理由は、前述したレール部２６のＴの字の上辺を囲む断面Ｃの形状のレール通し孔１２ａが形成されているためである。
また、第３実施形態の盗難追跡装置１では、図６（ｃ）に示すように、蓋部３０に形成された挿入口３１も、厚手に形成されたフランジ部１２の形状に合わせて、第１実施形態に比べ大きめに形成されている。
【００６２】
この第３実施形態の盗難追跡装置１では、図６（ｄ）に示すように、ＢＵＢ５０及び回路基板４０を筐体２０に収納する場合、レール部２６をレール通し孔１２ａに通した状態
で、筐体２０が開口する前方側から、筐体２０の背面側に押し込む。すると、ＢＵＢ５０及び回路基板４０は、このレール部２６に沿って押し込まれ、後方側のフランジ部１２が、壁部２７に形成された係合孔２７ａに係合する。
【００６３】
このとき、第１実施形態と同様、前方側のフランジ部１２は、筐体２０の開口よりも突設した状態になるので、蓋部３０を筐体２０に取り付けるとき、この突設したフランジ部１２を蓋部３０に設けられた挿入口３１に挿入させながら取り付ける。
【００６４】
このようにすると、レール部２６とレール通し孔１２ａとが係合する部分（符合αで示した部分）はもちろん、フランジ部１２が係合孔２７ａ及びレール通し孔１２ａと係合する部分も、第１実施形態と同様、４つの曲がり角を有するラビリンス構造を有する。
【００６５】
そのため、レール部２６と壁部２７及び蓋部３０に囲まれ、バッテリケース１０から一部が露出してＢＵＢ５０と接する第２空間８０と、回路基板４０が収納される第１空間７０とは隔離され、仮にＢＵＢ５０からバッテリ液が漏れ出しても、このバッテリ液が第１空間７０に漏れ出すことはない。
【００６６】
従って、第３実施形態の盗難追跡装置１を用いれば、バッテリケース１０から一部が露出したＢＵＢ５０及び回路基板４０を一緒に筐体２０内に収納しても、ＢＵＢ５０から漏れたバッテリ液の回路基板４０への付着を確実に防止することができる。
【００６７】
しかも、第３実施形態では、レール部２６とレール通し孔１２ａとを係合させて筐体２０内に押し込み、フランジ部１２を係合孔２７ａと挿入口３１に挿入するだけで、第１空間７０と第２空間８０とを隔離できるので、比較的簡単な構造で、これら空間７０，８０の間を隔離することができる。
［第４実施形態］
次に、第４実施形態について説明する。
【００６８】
第１実施形態と同じ構成については、同じ符号を用いて説明する。
第４実施形態の盗難追跡装置１は、筐体２０の形状が第１実施形態の盗難追跡装置１とは異なる。
【００６９】
具体的には、図７（ａ）（ｂ）に示すように、筐体２０は、固定部２１を備えておらず、筐体２０の内側底面上には、四角の１辺が欠けた立設部２８が形成され、この立設部２８は、内側に向かって階段状の段差２８ａが形成されている。
【００７０】
また、第４実施形態の盗難追跡装置１は、図７（ｃ）に示すように、バッテリケース１０の形状も異なっており、第１実施形態のようにフランジ部１２が設けられておらず、ＢＵＢ５０を収納する開口の周囲には、立設部２８の段差２８ａと係合する段差１２ｃが形成されている。
【００７１】
この第４実施形態の盗難追跡装置１では、図８に示すように、この段差１２ｃと立設部２８の段差２８ａとがかみ合うようにバッテリケース１０を立設部２８に嵌め込むと、この段差１２ｃと段差２８ａとがかみ合った部分が、少なくとも２つの曲がり角（符合αで示した部分）を有するラビリンス構造を形成する。
【００７２】
また、第４実施形態の盗難追跡装置１の蓋部３０には、図９に示すように、筐体２０から突出したバッテリケース１０が嵌る嵌合孔３２と、バッテリケース１０を立設部２８に嵌め込むと、バッテリケース１０、立設部２８及び筐体２０の下面に囲まれた空間２８ｂ（図８参照）に嵌り込む突起３３が形成されている。
【００７３】
そのため、立設部２８にバッテリケース１０が嵌め込まれた筐体２０を蓋部３０で閉めると、バッテリケース１０が嵌合孔３２に嵌り込み、突起３３が空間２８ｂに嵌り込む。
この第４実施形態の盗難追跡装置１では、上記ラビリンス構造により、バッテリケース１０から一部が露出してＢＵＢ５０と接する第２空間８０と、回路基板４０が収納される第１空間７０とは隔離される。
【００７４】
そのため、仮にＢＵＢ５０からバッテリ液が漏れ出しても、このバッテリ液が第１空間７０に漏れ出すことはない。
従って、第４実施形態の盗難追跡装置１を用いれば、バッテリケース１０から一部が露出したＢＵＢ５０及び回路基板４０を一緒に筐体２０内に収納しても、ＢＵＢ５０から漏れたバッテリ液の回路基板４０への付着を確実に防止することができる。
【００７５】
しかも、第４実施形態では、フランジ部１２に形成された段差１２ｃと、立設部２８に形成された段差２８ａとが係合するように、バッテリケース１０をフランジ部１２に嵌め込み、蓋部３０を閉じるだけで第１空間７０と第２空間８０とを隔離できるので、比較的簡単な構造で、これら空間７０，８０の間を隔離することができる。
［対応関係］
本発明の係合部は、第１実施形態では溝部２２ａを有する嵩上部２２及びフランジ部１２に相当し、第２実施形態では突設部２５ａ及びフランジ部１２に相当し、第３実施形態ではレール部２６及びレール通し孔１２ａを有するフランジ部１２と、係合孔２７ａを有する壁部２７及びフランジ部１２に相当し、第４実施形態では段差１２を有するバッテリケース及び段差２８ａを有する立設部２８に相当する。
【００７６】
第１実施形態の溝部２２ａは本発明の係合溝に相当する。
［その他実施形態］
上記実施形態では、回路基板４０として現在位置に関する情報を得る機能としてＧＰＳについて説明したが、他に、ＶＩＣＳ（登録商標）その他、盗難追跡装置１の現在位置に関する情報を得る機能を得ることができるものであればどのようなものでもよい。
【００７７】
上記実施形態では、回路基板４０をバッテリケース１０にネジ止めで固定していたが、筐体２０側にレールを用意し、回路基板４０はレールに通し、バッテリケース１０とネジ止め固定せず、分割としてもよい。
【００７８】
尚、本発明は、特許請求の範囲に記載された発明の趣旨に合致するものであればよく、上述の実施形態に限定されるものではない。
【符号の説明】
【００７９】
１… 盗難追跡装置、１０… バッテリケース、１１… ケース部分、１１ａ… 開口、
１１ｂ… 収納空間、１１ｃ… 周囲側面、１１ｄ… 上面、１２… フランジ部、
１２ａ…レール通し孔、１２ｃ… 段差、１３… ネジ脚、１４… 通孔、２０… 筐体、
２０ａ… 開口、２０ｂ… 底面、２１… 固定部、２２… 嵩上部、２２ａ… 溝部、
２３… 嵌込部、２５… 収納孔、２５ａ… 突設部、２６… レール部、２７… 壁部、
２７ａ… 係合孔、２８… 立設部、２８ａ… 段差、３０… 蓋部、３１… 挿入口、
３２…嵌合孔、３３…突起、４０… 回路基板、４１… 接続具、５１… コネクタ、
７０… 第１空間、  ８０… 第２空間。
【図１】
0005811105.tif 000002
【図２】
0005811105.tif 000003
【図３】
0005811105.tif 000004
【図４】
0005811105.tif 000005
【図５】
0005811105.tif 000006
【図６】
0005811105.tif 000007
【図７】
0005811105.tif 000008
【図８】
0005811105.tif 000009
【図９】
0005811105.tif 000010
【図１０】
0005811105.tif 000011
【図１１】
0005811105.tif 000012
【図１２】
0005811105.tif 000013